(57)【特許請求の範囲】
【請求項１】
下地と、固定部材と、複数の建築板と、を備え、
前記下地上に前記複数の建築板が複数行に並んで設置され、
前記複数の建築板のうち第一の建築板から、この第一の建築板と行方向に隣合う第二の建築板に跨る開口が形成され、
前記固定部材が、前記開口内に配置されて前記下地上に固定される固定部と、前記第一の建築板及び前記第二の建築板上にそれぞれ配置される二つの押え片とを備え、
前記複数の建築板のうち、前記行方向と交差する方向に隣合う建築板同士が一部重なっていて、
前記複数の建築板は、前記第一の建築板及び前記第二の建築板に対し前記行方向と交差する方向に隣合う第三の建築板を含み、
前記第三の建築板の上に、前記第一の建築板及び前記第二の建築板が一部重なっており、
前記固定部材が、前記固定部の底から前記行方向と交差する方向に突出する差込片を備え、
前記差込片が、前記下地と前記第三の建築板との間に介在している
建築板の施工構造。
【請求項２】
前記固定部の底が前記下地と平行であると共に、前記下地と重なっている
請求項１に記載の建築板の施工構造。
【請求項３】
請求項１又は請求項２に記載の建築板の施工構造に用いる建築板であって、
前記建築板の前記行方向と平行な方向の両端縁に、それぞれ切欠きが設けられ、
前記建築板と同じ形状の二つの建築板を前記行方向に並べて配置した場合に、一方の建築板の前記切欠きと他方の建築板の前記切欠きとが突き合わさって、前記開口を構成するように形成されている
建築板。
【発明の詳細な説明】
【技術分野】
【０００１】
本発明は、建築板と、この建築板の施工構造に関し、より具体的には、建築板に釘、ビス等を直接打ち込むことなく下地上に固定可能な建築板と、この建築板の施工構造に関する。
【背景技術】
【０００２】
従来、屋根材、外壁材等の建築板は、釘、ビス等が直接打ち込まれることによって、下地上に固定される。
【０００３】
例えば、特許文献１には、建物の野地等の屋根下地の軒棟方向と直交する方向に、複数枚の屋根材を互いに隣接させて順次設置し、各屋根材は釘等の固着具を用いて屋根下地上に固定し、次いで、この敷設後の屋根材の棟側に重ねて別の複数の屋根材を軒棟方向と直交する方向に互いに隣接させて順次設置し、これを繰り返すことで、屋根下地上に複数の屋根材が設置され、屋根葺きがなされる、ことが記載されている。
【先行技術文献】
【特許文献】
【０００４】
【特許文献１】特開２００８−２０８５４２号公報
【発明の概要】
【発明が解決しようとする課題】
【０００５】
しかし、特許文献１に記載の施工構造では、建築板を屋根下地上に固定する際に、釘、ビス等を強く打ち込み過ぎて、建築板に破損が生じることがあった。
【０００６】
本発明は上記の点に鑑みてなされたものであり、建築板を下地上に固定する際に、建築板に破損が生じることを抑制することができる建築板、及び建築板の施工構造を提供することを目的とする。
【課題を解決するための手段】
【０００７】
本発明に係る建築板の施工構造は、下地と、固定部材と、複数の建築板と、を備え、
前記下地上に前記複数の建築板が複数行に並んで設置され、
前記複数の建築板のうち第一の建築板から、この第一の建築板と行方向に隣合う第二の建築板に跨る開口が形成され、
前記固定部材が、前記開口内に配置されて前記下地上に固定される固定部と、前記第一の建築板及び前記第二の建築板上にそれぞれ配置される二つの押え片とを備え、
前記複数の建築板のうち、前記行方向と交差する方向に隣合う建築板同士が一部重なっていて、
前記複数の建築板は、前記第一の建築板及び前記第二の建築板に対し前記行方向と交差する方向に隣合う第三の建築板を含み、
前記第三の建築板の上に、前記第一の建築板及び前記第二の建築板が一部重なっており、
前記固定部材が、前記固定部の底から前記行方向と交差する方向に突出する差込片を備え、
前記差込片が、前記下地と前記第三の建築板との間に介在している。
【０００８】
本発明に係る建築板の施工構造では、前記固定部の底が前記下地と平行であると共に、前記下地と重なっていることが好ましい。
【００１０】
本発明に係る建築板は、上記の建築板の施工構造に用いる建築板であって、
前記建築板の前記行方向と平行な方向の両端縁に、それぞれ切欠きが設けられ、
前記建築板と同じ形状の二つの建築板を前記行方向に並べて配置した場合に、一方の建築板の前記切欠きと他方の建築板の前記切欠きとが突き合わさって、前記開口を構成するように形成されている。
【発明の効果】
【００１１】
本発明では、建築板を下地上に固定する際に、建築板に破損が生じることを抑制することができる。
【図面の簡単な説明】
【００１２】
【図１】第一の実施形態に係る建築板の施工構造の概略の平面図である。
【図２】図２Ａは第一の実施形態に係る固定部材の平面図、図２Ｂは断面図である。
【図３】図３Ａは第一の実施形態に係る建築板の概略の平面図であり、図３Ｂはこの建築板を一方向に並べた場合の平面図である。
【図４】第一の実施形態に係る建築板の施工構造の要部の行方向の断面図である。
【図５】第一の実施形態に係る建築板の施工構造の要部の行方向と交差する方向の断面図である。
【図６】図６Ａ及び図６Ｂは、第一の実施形態に係る固定部材の変形例の平面図である。
【図７】図７Ａは第一の実施形態に係る固定部材の変形例の平面図、図７Ｂは断面図である。
【図８】図８Ａ及び図８Ｂは、第一の実施形態に係る建築板の施工構造の、行方向に隣合う建築板を施工する手順を示す平面図である。
【図９】図９Ａは第二の実施形態に係る建築板の施工構造の要部の、行方向と交差する方向の断面図であり、図９Ｂは第二の実施形態に係る固定部材の平面図である。
【発明を実施するための形態】
【００１３】
第一の実施形態に係る建築板２の施工構造は、図１に示すように、下地３と、固定部材１と、複数の建築板２と、を備える。下地３上に複数の建築板２が複数行に並んで設置されている。複数の建築板２のうち第一の建築板２１から、この第一の建築板２１と行方向に隣合う第二の建築板２２に跨る開口５が形成される。固定部材１は、開口５内に配置されて下地３上に固定される固定部１０と、第一の建築板２１及び第二の建築板２２上にそれぞれ配置される二つの押え片１３とを備える。
【００１４】
第一の実施形態に係る建築板２の施工構造が、このような構成を備えるため、建築板２に釘、ビス等を直接打ち込むことなく、建築板２を下地３上に固定することができる。このため、建築板２に破損が生じにくい。
【００１５】
第一の実施形態に係る建築板２は、上記の施工構造に用いる建築板２である。建築板２の行方向と平行な方向の両端縁に、それぞれ切欠き２０が設けられる。建築板２は、この建築板２と同じ形状の二つの建築板２を行方向に並べて配置した場合に、一方の建築板２の切欠き２０と他方の建築板２の切欠き２０とが突き合わさって、開口５を構成するように形成されている。
【００１６】
以下、第一の実施形態に係る建築板２の施工構造について、更に詳しく説明する。
【００１７】
第一の実施形態における下地３は、建築物の屋根の屋根下地における野地板である。このため、下地３は、屋根の形状に沿って傾斜している。第一の実施形態では、屋根の傾斜に沿った斜め下側のことを軒側といい、屋根の傾斜に沿った斜め上側のことを棟側といい、屋根の傾斜に沿った方向を軒棟方向という。また、第一の実施形態における行方向は、軒棟方向と直交する方向である。
【００１８】
第一の実施形態における固定部材１は、固定部１０と、二つの押え片１３とを備える。
【００１９】
第一の実施形態では、固定部１０が、固定片１１と引掛け片１２とを備える。
【００２０】
固定片１１は平面視矩形状である。図２Ａに示すように、固定片１１には固定孔１４が設けられている。第一の実施形態では、固定孔１４が固定片１１の中心に設けられている。
【００２１】
引掛け片１２は、図２Ｂに示すように、固定片１１の一端から突出する引掛け片１２ａと、固定片１１の他端から引掛け片１２ａと同じ方向に突出する引掛け片１２ｂとを含む。
【００２２】
押え片１３は、図２Ｂに示すように、引掛け片１２ａ、１２ｂのそれぞれの上端から、互いに反対方向に突出する二つの押え片１３ａ、１３ｂを含む。
【００２３】
固定部材１は、不燃性の材料製であることが好ましい。固定部材１は、例えば金属製であり、詳しくは、鋼板製又はＳＵＳ板製である。固定部材１は、例えば、金属製の板材を折り曲げることで、形成することができる。
【００２４】
第一の実施形態における建築板２は、屋根材である。屋根材としては、例えば、平板状、且つ平面視矩形状のスレート瓦が挙げられる。この場合の建築板２は、例えば、セメント系成形材料を成形し、養生硬化することで得られる。
【００２５】
建築板２は、図３Ａに示すように、一方向の両端縁に、それぞれ切欠き２０が設けられている。第一の実施形態では、切欠き２０は平面視矩形状である。切欠き２０は建築板２の製造時に予め形成していてもよく、釘穴等が形成されている既製の建築板に加工を施すことで形成してもよい。第一の実施形態では、建築板２の一方の端縁に切欠き２０ａが設けられ、他方の端縁に切欠き２０ｂが設けられている。建築板２は、全て同一の形状に形成される。
【００２６】
図３Ｂに示すように、同じ形状を有する二つの建築板２が一方向に隣合って配置されると、一方の建築板２の切欠き２０ａと、他方の建築板２の切欠き２０ｂとが突き合わさる。突き合わさった二つの切欠き２０ａ、２０ｂから、平面視矩形状の開口５が構成される。このため開口５は、隣合う二つの建築板２に跨っている。
【００２７】
第一の実施形態では、下地３上に複数の建築板２が、複数行に並んで設置されると共に、行方向と交差する方向（軒棟方向）には千鳥状に設置されている（図１参照）。下地３と建築板２との間には、例えば防水シート、防湿シート、防音シート等の別部材が介在してもよい。軒棟方向と直交する方向に隣合う建築板２の間には、固定部材１が設けられている。
【００２８】
図４に示すように、複数の建築板２の中から任意に選ばれる建築板２（以下、第一の建築板２１という）と、第一の建築板２１の軒棟方向と直交する方向に隣合う建築板２（以下、第二の建築板２２という）との間では、第一の建築板２１の切欠き２０ａと、第二の建築板２２の切欠き２０ｂとが突き合わさって開口５が構成されている。この開口５内には固定部１０が配置されている。詳細には、引掛け片１２ａが第一の建築板２１の切欠き２０ａ内に配置され、引掛け片１２ｂが第二の建築板２２の切欠き２０ｂ内に配置されている。このため、第一の建築板２１の切欠き２０ａが引掛け片１２ａに引掛かり、第二の建築板２２の切欠き２０ｂが引掛け片１２ｂに引掛かっている。すなわち、開口５の縁が二つの引掛け片１２に引掛かっている。
【００２９】
固定部１０は下地３上に固定されている。詳細には、固定片１１が下地３上に固定されている。更に詳細には、固定具４が、固定孔１４を通って、下地３に打ち込まれている。固定具４は、例えば、釘又はビスである。
【００３０】
押え片１３は建築板２の上に重なっている。詳細には、押え片１３ａが第一の建築板２１の上に重なり、押え片１３ｂが第二の建築板２２の上に重なっている。これにより、第一の建築板２１及び第二の建築板２２が下地３上に押さえられている。
【００３１】
図５に示すように、第一の建築板２１及び第二の建築板２２の軒側に隣合って配置され、且つ第一の建築板２１及び第二の建築板２２の軒側部分が重なっている建築板２（以下、第三の建築板２３という）の棟側端縁に、固定部１０が接している。詳細には、第三の建築板２３の棟側端縁に、二つの引掛け片１２ａ、１２ｂの棟側部分が接している。
【００３２】
第一の建築板２１及び第二の建築板２２の棟側に隣合って配置され、且つ第一の建築板２１及び第二の建築板２２の上に部分的に重なっている建築板２（以下、第四の建築板２４という）の軒側端部が、固定部材１の上に重なっている。詳細には、二つの押え片１３ａ、１３ｂの上に、第四の建築板２４の軒側端部が重なっている。
【００３３】
第一の実施形態に係る建築板２の施工構造が、上記の構成を備えるため、以下の効果を奏する。
【００３４】
二つの引掛け片１２に開口５の縁が引掛かり、固定片１１が下地３上に固定され、更に押え片１３が建築板２を下地３上に押えることによって、建築板２が下地３上に固定される。
【００３５】
この場合、建築板２に直接、固定具４を打ち込んでいないため、固定具４を自動釘打ち機等を使用して強く打ち込んだとしても、建築板２に破損が生じにくい。
【００３６】
固定部１０が第三の建築板２３の棟側端縁に接していることにより、固定片１１を下地３上に固定する際、固定部材１が落下しにくく、固定片１１を下地３上に固定しやすい。
【００３７】
固定部材１の上に第四の建築板２４の軒側端部が重なっているため、第四の建築板２４によって固定部材１が隠される。
【００３８】
上記の建築板２の施工構造を、軒棟方向及び軒棟方向と直交する方向に繰り返すことにより、複数の建築板２を軒棟方向、及び軒棟方向と直交する方向に設置することができる。
【００３９】
この際、建築板２の軒棟方向と直交する方向の両端にはそれぞれ固定部材１が設けられている。詳細には、建築板２の二つの切欠き２０ａ、２０ｂが二つの固定部１０にそれぞれ引掛かると共に、建築板２の上に二つの押え片１３がそれぞれ重なっている。すなわち、建築板２の軒棟方向と直交する方向の両端部が、固定部材１によって固定されている。このため、建築板２が下地３上に強固に固定される。
【００４０】
尚、第一の実施形態では、すべての建築板２が固定部材１によって固定されているが、これに限られない。例えば、耐風強度が求められる屋根の隅棟部分に葺設される建築板２に直接、釘又はビスを打ち込んでもよい。
【００４１】
また、固定部材１の構成は上記の構成に限られない。例えば、図６Ａに示すように、固定片１１に固定孔１４が複数設けられていてもよい。この場合、複数の固定具４を下地３に打ち込むことができる。このため、固定片１１を下地３上により強固に固定することができる。
【００４２】
また、図６Ｂに示すように、固定孔１４が長尺であってもよい。この場合、固定具４を打ち込む位置を、長尺な固定孔１４の範囲内で、自由に変えることができる。
【００４３】
また、図７Ａ、図７Ｂに示すように、固定片１１、引掛け片１２、及び押え片１３の上面に亘って、リブ１６が設けられていてもよい。この場合、固定部材１の強度を向上させることができる。図７Ａ、図７Ｂに示す固定部材１では、２本のリブ１６が設けられているが、これに限られない。例えば、リブ１６が一本であってもよく、リブ１６が３本以上であってもよい。
【００４４】
続いて、第一の建築板２１の軒棟方向と直交する方向の隣に、第二の建築板２２を設置する際の施工手順について、図８Ａ、図８Ｂを参照しながら説明する。
【００４５】
まず、図８Ａに示す第一の建築板２１を固定している固定部材１（以下、第一の固定部材１７という）の引掛け片１２ｂに、第二の建築板２２の切欠き２０ｂを引掛けると共に、第一の固定部材１７の押え片１３ｂを第二の建築板２２の上に重ねる。これにより、第二の建築板２２の、第一の建築板２１側の端部が、下地３上に固定される。
【００４６】
次に、第二の建築板２２の切欠き２０ａ内に、固定部材１（以下第二の固定部材１８という）の引掛け片１２ａを配置すると共に、第二の固定部材１８の押え片１３ａを第二の建築板２２の上に重ねる。この際、第二の固定部材１８の固定部１０は、第二の建築板２２の軒側に配置されている建築板２の棟側端縁に接している。このため、下地３上で第二の固定部材１８及び第二の建築板２２が容易に位置決めされる。
【００４７】
次に、第二の固定部材１８の固定孔１４を通って下地３に固定具４を打ち込み、第二の固定部材１８を下地３上に固定する（図８Ｂ参照）。これにより、第二の建築板２２の、第一の建築板２１側の反対側の端部が、下地３上に固定される。
【００４８】
また、第二の建築板２２の二つの切欠き２０ａ、２０ｂが、二つの固定部材１７、１８の固定部１０にそれぞれ引掛かると共に、第二の建築板２２の上に二つの固定部材１７、１８の押え片１３がそれぞれ重なっている。すなわち、第二の建築板２２の軒棟方向と直交する方向の両端部が、二つの固定部材１７、１８によってそれぞれ固定されている。このため、第二の建築板２２が下地３上に強固に固定される。
【００４９】
また、上記の施工手順を繰り返すことで、複数の建築板２を軒棟方向と直交する方向に並べて設置することができる。
【００５０】
以下、第二の実施形態に係る建築板２の施工構造について、図９を参照しながら説明する。
【００５１】
第二の実施形態に係る建築板２の施工構造では、図９Ａに示すように、固定部１０の底が下地３と平行であると共に、下地３と重なっている。詳細には、固定片１１が、下地３と平行であると共に、下地３と重なっている。この場合、固定片１１と下地３との間に隙間が生じず、或いは隙間が小さくなる。このため、固定部１０を下地３上に安定して固定することができる。これにより、固定部材１によって固定される建築板２を、下地３上に安定して固定することができる。
【００５２】
更に、第二の実施形態に係る建築板２の施工構造では、複数の建築板２のうち、行方向と交差する方向に隣合う建築板２同士が一部重なっている。固定部材１は、固定部１０の底から軒側に突出する差込片１５を備える。詳細には、固定片１１の軒側の辺から、差込片１５が突出している（図９Ｂ参照）。この差込片１５は、第三の建築板２３と下地３との間に介在している（図９Ａ参照）。差込片１５を第三の建築板２３と下地３との間に介在させることにより、固定孔１４に固定具４を打ち込まなくても、固定部材１を第三の建築板２３の棟側端縁に仮止めすることができる。差込片１５を第三の建築板２３と下地３との間に介在させた状態で、固定孔１４を通って下地３に固定具４を打ち込むことにより、固定部１０を下地３上に固定することができる。このため、下地３上に固定部１０を固定する際に、下地３の傾斜が急勾配であっても、固定部材１が第三の建築板２３の棟側端縁に仮止めされているため、固定部材１が落下しにくく、すなわち、固定部１０を下地３上に容易に固定することができる。
【００５３】
第二の実施形態に係る建築板２の施工構造の、上記の構成以外の構成は、第一の実施形態に係る建築板２の施工構造の構成と同じである。このため、第二の実施形態における第一の実施形態と重複する構成について、ここでは説明を省略する。
【００５４】
また、第一の実施形態及び第二の実施形態では、下地３が建築物の屋根の屋根下地における野地板であるが、これに限られない。
【００５５】
例えば、下地３が建築物の壁の壁下地であってもよい。この場合、行方向とは建築物の壁に対して水平な方向を意味し、行方向と交差する方向とは建築物の壁の高さ方向を意味する。
【００５６】
下地３が壁下地である場合、建築板２は例えば外壁材である。この場合、複数の建築板２が、壁に対して水平な方向に複数行並んで設置される共に、壁の高さ方向には千鳥状に設置されている。
【００５７】
第一の建築板２１の建築物の壁に対して水平な方向の隣に、第二の建築板２２を設置する際の施工手順について、図８Ａ、図８Ｂを参照しながら説明する。尚、図８Ａ、図８Ｂは、上述において下地３が野地板である場合の施工手順を説明したが、以下、図８Ａ、図８Ｂを、下地３が建築物の壁の壁下地であるとして、施工手順を説明する。
【００５８】
まず、図８Ａに示す第一の建築板２１を固定している固定部材１（以下、第一の固定部材１７という）の引掛け片１２ｂに、第二の建築板２２の切欠き２０ｂを引掛けると共に、第一の固定部材１７の押え片１３ｂを第二の建築板２２の表面に重ねる。これにより、第二の建築板２２の、第一の建築板２１側の端部が下地３の外面に固定され、水平面に対して略垂直に位置する第二の建築板２２の片側が、第一の固定部材１７によって支えられる。
【００５９】
次に、第二の建築板２２の切欠き２０ａ内に、固定部材１（以下第二の固定部材１８という）の引掛け片１２ａを配置すると共に、第二の固定部材１８の押え片１３ａを第二の建築板２２の表面に重ねる。この際、第二の固定部材１８の固定部１０は、第二の建築板２２の下側に配置されている建築板２の上側端縁に接している。このため、下地３の外面で第二の固定部材１８及び第二の建築板２２が容易に位置決めされる。
【００６０】
次に、第二の固定部材１８の固定孔１４を通って下地３に固定具４を打ち込み、第二の固定部材１８を下地３の外面に固定する（図８Ｂ参照）。これにより、第二の建築板２２の、第一の建築板２１側の反対側の端部が、下地３の外面に固定される。
【００６１】
また、第二の建築板２２の二つの切欠き２０ａ、２０ｂが、二つの固定部材１７、１８の固定部１０にそれぞれ引掛かると共に、第二の建築板２２の表面に二つの固定部材１７、１８の押え片１３がそれぞれ重なっている。すなわち、第二の建築板２２の壁に対して水平な方向の両端部が、二つの固定部材１７、１８によってそれぞれ固定されている。このため、第二の建築板２２が下地３の外面に強固に固定される。
【００６２】
また、上記の施工手順を繰り返すことで、複数の建築板２を壁に対して水平な方向に並べて設置することができる。
【００６３】
尚、上記の説明では、第二の固定部材１８の固定部１０が、第二の建築板２２の下側に配置されている建築板２の上側端縁に接しているが、これに限られない。例えば、第二の固定部材１８の固定部１０を、第二の建築板２２の下側に配置されている建築板２の上側端縁よりも上方に配置することで、第二の建築板２２の下側に配置されている建築板２の曝露面、すなわち屋外に曝露される面を、壁の高さ方向に広げても良い。
【符号の説明】
【００６４】
１    固定部材
１０  固定部
１３  押え片
１５  差込片
２    建築板
２０  切欠き
２１  第一の建築板
２２  第二の建築板
２３  第三の建築板
３    下地
５    開口
【図１】
0006543023.tif 000002
【図２】
0006543023.tif 000003
【図３】
0006543023.tif 000004
【図４】
0006543023.tif 000005
【図５】
0006543023.tif 000006
【図６】
0006543023.tif 000007
【図７】
0006543023.tif 000008
【図８】
0006543023.tif 000009
【図９】
0006543023.tif 000010